(57)【要約】【課題】気球と発光装置とを備えた救援位置表示セットを提供する。【解決手段】救援位置表示セットは、気体充填構造体である袋体１０と、袋体１０に気体を充填する気体充填手段２０と、一端が袋体１０に接続される接続ケーブル３０と、接続ケーブル３０に取り付けられる発光装置４０と、接続ケーブルの他端に接続され、使用者の体に着けられるリング体５０と、を備える。使用するときは、リング体５０を使用者の体に着けておき、気体充填手段２０により袋体１０に気体を充填して上空に浮き上がらせて、接続ケーブル３０およびリング体５０を介して使用者の体につながれた袋体１０によって使用者の位置が表示される。発光装置４０から出射する光線は人の目を引き付ける効果があり、その近くにいた人員が素早く使用者を発見できる。【選択図】図１
0003214576.tif 000002
【実用新案登録請求の範囲】
【請求項１】
気球と発光装置とを備えた救援位置表示セットであって、
前記気球として機能する袋体と、気体充填手段と、接続ケーブルと、発光装置と、リング体と、を備え、
前記袋体は、ノズルを有する気体充填構造体であり、表面に救援を呼びかける文字または図案が印字されており、気体が充填された後に、浮力によって空に浮き上がることができ、
前記気体充填手段は、気体充填チューブを有する気体充填構造体であり、前記袋体への気体充填に用いられ、使用するときは、前記気体充填チューブを前記袋体の前記ノズルに挿入して、前記袋体に気体を充填し、前記袋体を球体の形態に仕上げ、
前記接続ケーブルは、一端が前記袋体に接続され、
前記発光装置は、前記接続ケーブルに取り付けられ、光線を出射することができ、
前記リング体は、前記接続ケーブルの他端に接続され、使用者の体に着けられ、前記袋体が前記接続ケーブルおよび前記リング体を介して使用者につながれることによって、使用者の所在位置を表示することができると共に、使用者から抜け出すことを避けることができ、
使用するときは、前記リング体を使用者の体に着けておき、前記気体充填手段により前記袋体に気体を充填して上空に浮き上がらせて、前記接続ケーブルおよび前記リング体を介して使用者の体とつながれた前記袋体によって使用者の位置が表示されることを特徴とする、救援位置表示セット。
【請求項２】
前記袋体と、前記気体充填手段と、前記接続ケーブルと、前記発光装置と、前記リング体とを収納する中空状の空間を有し、使用者が前記気体充填手段、前記接続ケーブル、前記発光装置および前記リング体を合わせて携行可能な収容手段をさらに備えることを特徴とする、請求項１記載の救援位置表示セット。
【請求項３】
気体充填口を有し、使用者の体に着けられ、気体充填構造体からなる浮き輪をさらに備え、
前記浮き輪に気体を充填することによって、使用者を水面に浮かばせることができ、使用されないときには前記浮き輪を前記収容手段に収納することができることを特徴とする、請求項２記載の救援位置表示セット。
【請求項４】
前記袋体の径は６０センチであることを特徴とする、請求項１記載の救援位置表示セット。
【請求項５】
前記袋体および前記浮き輪の材質はＰＶＣであることを特徴とする、請求項３記載の救援位置表示セット。
【請求項６】
前記気体充填手段の気体の量は、前記袋体を浮き上がらせる気体充填量の２〜３倍であることを特徴とする、請求項１記載の救援位置表示セット。
【請求項７】
前記発光装置より、異なる光色の光線を出射することができ、かつ、点滅発光ができることを特徴とする、請求項１記載の救援位置表示セット。
【請求項８】
前記発光装置と前記袋体との距離は１〜２メートルであることを特徴とする、請求項１記載の救援位置表示セット。
【請求項９】
前記接続ケーブルは、綿ロープであることを特徴とする、請求項１記載の救援位置表示セット。
【請求項１０】
前記リング体は、弾性部材で構成されることを特徴とする、請求項１記載の救援位置表示セット。
【請求項１１】
前記収容手段は、使用者が携行可能な手提げ袋又はウエストポーチであることを特徴とする、請求項２記載の救援位置表示セット。
【請求項１２】
前記気体充填手段により充填される気体はヘリウムガスであることを特徴とする、請求項１記載の救援位置表示セット。
【考案の詳細な説明】
【技術分野】
【０００１】
本考案は、救援装置に関し、特に気球と発光装置とを備えた救援位置表示セットに関する。
【背景技術】
【０００２】
通常、人が海上、沼地、砂漠、草原または山岳地帯などの野外環境にいるときは、生存条件が著しく劣る。よって、これらの環境に立ち入る人たちが物資の不足やけが、または閉じ込まれた場合に最短時間で救助を図るため、一般に様々な方式で救援が求められる。そのうち、焚き火による煙や懐中電灯による光線出射、あるいは鏡による光線反射、もしくは通信装置等の方式を用いて外部に救援信号を発信するなどがある。
【考案の概要】
【考案が解決しようとする課題】
【０００３】
しかし、前述した焚き火による煙や、光線を出射させるなどの方式には一定の技量を事前に学ぶ必要があり、援助を求める人にとっては、切迫した状態で、このような複雑しかも時間と体力を費やす救援を求める方式が頭に浮かばない。一方、往々にして救援を求める装置の携行が不便である。さらに、野外などの地域では、通信装置の信号が外部に届きにくい。
【０００４】
本考案は、前記した公知技術の解決についてなされたものであり、その目的は、容易に取り扱うことができ、救援を求める者が簡単な操作で、しかも長時間に救援信号を発信できる携行便利な救援位置表示セットを提供することにある。
【課題を解決するための手段】
【０００５】
本考案による気球と発光装置とを備えた救援位置表示セットは、救援メッセージが表記された袋体と、気体充填手段と、接続ケーブルと、袋体に接続される発光装置と、リング体と、を備える。使用しないときには例えば収容手段に収納して、便利に携行できる。使用する際は、袋体に気体を充填し、接続ケーブルとリング体とを介して使用者の体に繋がれた袋体を空中に浮き上がらせることにより、袋体に表記された救援メッセージを表示することができる。
【図面の簡単な説明】
【０００６】
【図１】本考案の救援位置表示セットの態様図である。
【図２】本考案の袋体に気体を充填後の態様図である。
【図３】本考案の発光装置を示す図である。
【図４】本考案の気体充填手段による袋体への気体充填を示す図である。
【図５】本考案の浮き輪を示す図である。
【考案を実施するための形態】
【０００７】
本考案による救援位置表示セットの一つの好ましい実施例を、組成、発揮しうる効果ならびに利点を図面と合わせて、以下のとおり詳細に説明する。
【実施例】
【０００８】
本考案による気球と発光装置とを備えた救援位置表示セットについて、図１〜図５を参照する。この救援位置表示セットは、気球として機能する袋体１０と、気体充填手段２０と、発光装置４０と、リング体５０と、浮き輪６０と、収容手段７０と、を含む。
【０００９】
袋体１０は気体充填構造体であり、ノズル１５を含む。袋体１０の表面に文字またはパターンが印字されており、救援表示に用いられる（図２）。文字は、ＳＯＳまたは救援を求める文言などが表記され、袋体１０に気体を充填した後、空中に浮き上がらせることができる。
【００１０】
袋体１０の径は、６０センチが好ましい。さらに、袋体１０の材質はＰＶＣである。
【００１１】
気体充填手段２０は、袋体１０への気体充填に用いられる。気体充填手段２０は、気体充填チューブ２５を有し、使用するときは、気体充填チューブ２５を袋体１０のノズル１５に挿入して、袋体１０に気体を充填して、袋体１０を球体の形態に仕上げる（図４）。気体充填手段２０により充填される気体は、ヘリウムガスが好ましい。
【００１２】
気体充填手段２０のヘリウムガスの量は、袋体１０を浮き上がらせる気体充填量の２〜３倍が好ましい。
【００１３】
接続ケーブル３０の一端を袋体１０に接続する。接続ケーブル３０の長さは、２０メートルが好ましい。接続ケーブル３０は綿ロープである。
【００１４】
発光装置４０は、接続ケーブル３０に取り付けられ、光線を出射する（図２、図３）。発光装置４０より、異なる光色の光線を出射することができ、かつ、点滅発光が好ましい。発光装置４０と、袋体１０との距離が約１〜２メートルが好ましい。
【００１５】
リング体５０は、接続ケーブル３０の他端に接続される。リング体５０を使用者の体（例えば、手首）に着け、袋体１０が接続ケーブル３０とリング体５０とを介して使用者につながれることによって、使用者の所在位置を表示することができる。リング体５０は、弾性部材で構成されることが好ましい。
【００１６】
浮き輪６０は気体充填構造体であり、使用者の体に着けられる。浮き輪６０に気体充填口６５が設けられている（図５）。気体を浮き輪６０に充填すれば、使用者を水面に浮かばせることができる。袋体６０の材質はＰＶＣが好ましい。
【００１７】
収容手段７０は、袋体１０と、気体充填手段２０と、接続ケーブル３０と、発光装置４０と、リング体５０と、浮き輪６０とを収納する中空状の空間を有する（図１）。使用者は収容手段７０によって、袋体１０と、気体充填手段２０と、接続ケーブル３０と、発光装置４０と、リング体５０と、浮き輪６０とを合わせて携行することができる。収容手段７０は例えば、手提げ袋、ウエストポーチなど、使用者が便利に携行できるものであることが好ましい。
【００１８】
使用の際は、袋体１０と、気体充填手段２０と、接続ケーブル３０と、発光装置４０と、リング体５０と、浮き輪６０とを収容手段７０から取り出して、気体充填手段２０を用いて、袋体１０に気体を充填した上、リング体５０を使用者の体に着ける。気体が充填された袋体１０は、気球として空に浮き上がる。接続ケーブル３０とリング体５０とを介して使用者の体に着けられているため、袋体１０は使用者の位置を表示することができる。さらに、袋体１０に印字した文字または図案および発光装置４０からの出射光線が合わせて人の目を引き付ける効果があり、使用者は付近場所に居合わせた人員に素早く発見されることができる。
よって、使用者が海上、沼地、砂漠、草原または山岳地帯などの野外環境にいるときは、前述の救援位置表示セットを利用して救援を求めることができる。そのうち、使用者が水域にいるときには、浮き輪６０体に着けることなどにより、使用者は溺れることなく、長時間救援を待つことができる。
【００１９】
以上の詳細説明は、本案の一つの実施可能な実施例の具体的な説明である。ただし、該実施例は本案になんらの制限を加わるものではない。本案の技術精神に基づく等効果の応用又は変更は、すべて本案の実用新案登録請求の範囲に含まれる。
【符号の説明】
【００２０】
１０  袋体
２０  気体充填手段
３０  接続ケーブル
４０  発光装置
５０  リング体
６０  浮き輪
７０  収容手段
【図１】
0003214576.tif 000003
【図２】
0003214576.tif 000004
【図３】
0003214576.tif 000005
【図４】
0003214576.tif 000006
【図５】
0003214576.tif 000007